(57)【特許請求の範囲】
【請求項１】
中央に開口部を有する枠状に形成され、前記開口部に配線器具の一部を挿入した状態で前記配線器具を保持する金属製の枠本体と、
前記枠本体に設けられ、前記枠本体の前面側に取り付けられる化粧プレートの係止爪を係止する樹脂製のスリーブとを備え、
前記枠本体は、厚み方向に貫通する取付孔を有し、
前記スリーブは、前記枠本体の一面側から前記取付孔に挿入されて、前記取付孔の周縁部と係止する取付爪片を有し、前記取付爪片の周囲にスリットを設けたことを特徴とする配線器具用取付枠。
【請求項２】
前記取付孔及び前記スリーブは、前記スリーブを前記取付孔に挿入する際の向きを規制する逆挿防止形状に形成されていることを特徴とする請求項１記載の配線器具用取付枠。
【発明の詳細な説明】
【技術分野】
【０００１】
本発明は、配線器具用取付枠に関するものである。
【背景技術】
【０００２】
従来、スイッチやコンセントのような配線器具を壁面などの造営面に配設するために、金属製の配線器具用取付枠（以下、「取付枠」と称す）が用いられている（例えば、特許文献１を参照）。
【０００３】
この種の取付枠は、例えば図６に示される取付枠６０のように、中央に開口窓６０ａを有する枠形状に形成されており、この開口窓６０ａに配線器具６１の一部を挿入した状態で配線器具６１を保持している。取付枠６０は、配線器具６１を保持した状態で、造営面（図示せず）に埋設された埋込ボックス６２の開口面側に、取付ねじ（ボックスねじ）６３、６３によって取り付けられる。
【０００４】
また、取付枠６０の前面には、樹脂材料からなり、取付枠６０よりもやや大きな枠状に形成されたプレート枠６４が、金属製のねじ６５、６５によって取り付けられる。プレート枠６４は、樹脂製の化粧プレート６６を保持するための係止孔６４ａを複数備えている。この化粧プレート６６の背面には、係止爪（図示せず）が複数設けられており、各係止爪と各係止爪に対応する係止孔６４ａが係止することで、プレート枠６４に化粧プレート６６が保持される。
【０００５】
このようにして、スイッチやコンセントのような配線器具は、取付枠によって造営面に埋め込み配置され、取付枠の前面に設けられた化粧プレートによって、配線やねじなどを隠して、外観を良好に保っている。
【先行技術文献】
【特許文献】
【０００６】
【特許文献１】特開２００１−３７０３８号公報
【発明の概要】
【発明が解決しようとする課題】
【０００７】
しかしながら、図６に示す取付枠６０では、取付枠６０の前面にプレート枠６４をねじ止めし、このプレート枠６４に化粧プレート６６を係止させているので、造営面からの突出量が多くなり、外観が悪くなるなどの問題がある。
【０００８】
そこで、取付枠に化粧プレートを係止するための係止孔を設け、化粧プレートを直接的に係止することも考えられるが、化粧プレートの係止爪は樹脂材料で形成されているので、金属製の取付枠によって削られる恐れがあった。
【０００９】
本発明は、上記事由に鑑みて為されたものであり、その目的とするところは、造営面からの突出量を低減するとともに、化粧プレートの係止爪が削られるのを低減することができる配線器具用取付枠を提供することにある。
【課題を解決するための手段】
【００１０】
上記目的を達成するために、本願の配線器具用取付枠では、中央に開口部を有する枠状に形成され、開口部に配線器具の一部を挿入した状態で配線器具を保持する金属製の枠本体と、枠本体に設けられ、枠本体の前面側に取り付けられる化粧プレートの係止爪を係止する樹脂製のスリーブとを備え、枠本体は、厚み方向に貫通する取付孔を有し、スリーブは、枠本体の一面側から取付孔に挿入されて、取付孔の周縁部と係止する取付爪片を有し、取付爪片の周囲にスリットを設けたことを特徴とする。
【００１２】
また、この配線器具用取付枠において、取付孔及びスリーブは、スリーブを取付孔に挿入する際の向きを規制する逆挿防止形状に形成されていることが好ましい。
【発明の効果】
【００１３】
本発明の配線器具用取付枠によれば、造営面からの突出量を低減するとともに、化粧プレートの係止爪が削られるのを低減することができる。
【図面の簡単な説明】
【００１４】
【図１】本発明の実施の形態にかかる取付枠を用いた配線装置を示す概略斜視図である。
【図２】同取付枠を示す正面図である。
【図３】（ａ）〜（ｃ）は同取付枠の要部を示し、（ａ）は正面図、（ｂ）は側面図、（ｃ）は平面図である。
【図４】（ａ）及び（ｂ）は、同取付枠の他例を示す正面図である。
【図５】（ａ）及び（ｂ）は、同取付枠のさらに他例を示す正面図である。
【図６】従来の取付枠を用いた配線装置を示す概略斜視図である。
【発明を実施するための形態】
【００１５】
以下に本発明の実施の形態を図面に基づいて説明する。
【００１６】
本発明の配線器具用取付枠を適用した配線装置について、図１〜図３を用いて説明する。なお、以下の説明においては、図２の上下左右を配線装置の上下左右、図２の紙面に対して垂直な方向を配線装置の前後方向と規定して説明を行う。
【００１７】
本実施の形態にかかる取付枠１０は、壁面などの造営面に埋設されるボックス３０に取り付けられ、配線器具４０を保持する配線器具用の取付枠であり、その前面側には樹脂製の化粧プレート５０が取り付けられる。
【００１８】
ボックス３０は、絶縁性の高い樹脂材料からなり、前面が開口した略箱状に形成されている。ボックス３０は、開口した側が前方となるように壁面などの造営面に埋設され、開口部分を覆うようにして、配線器具４０を装着した取付枠１０が取り付けられる。またボックス３０のいずれかの壁面には、別の場所に設置された商用電源（図示せず）や電気器具（図示せず）に接続する為の電力線（図示せず）を通すための挿通孔（図示せず）が設けられている。またボックス３０は、取付枠１０を前面側からネジ止めするためのネジ孔３１を備える。
【００１９】
配線器具４０は、商用電源や電気器具と電力線を介して接続されており、電気器具への給電をオン／オフするスイッチ４１や、電気器具への給電を行う為のソケットを備えるマルチソケット４２などである。本実施の形態においては、この取付枠１０に８個まで取付けることができる単位寸法（１個モジュール寸法）に設定されたスイッチ４１と、単位寸法の２個分の寸法（２個モジュール寸法）に形成されたマルチソケット４２が取り付けられる。なお、これらの配線器具４０（スイッチ４１、マルチソケット４２）は、使用する目的などに応じて適宜変更することができる。
【００２０】
また配線器具４０の上下の壁面には、後述する取付枠１０の係止縁部１４に係止される係止爪４０ａが設けられている。ここで、スイッチ４１は１個モジュール寸法であるので、スイッチ４１の上下の側面において、左右方向の略中央に係止爪４０ａが１個ずつ設けられている。また、マルチソケット４２は２個モジュール寸法であるので、マルチソケット４２の上下の側面において、左右方向における中央から所定の間隔を開けて各２個の係止爪４０ａが並設されている。このようにして、各配線器具４０は、その大きさに応じた位置に、大きさに応じた個数の各係止爪４０ａを有し、バランスよく係止縁部１４に係止されるよう設定されている。
【００２１】
また配線器具４０の上下の壁面には、後述する取付枠１０のガイド孔１３にガイドされ、取付枠１０に対する配線器具４０の前後方向及び左右方向の位置を決定する位置決め用の突起４０ｂが設けられている。配線器具４０を取付枠１０に取り付ける際には、取付枠１０の前面側から配線器具４０を挿入することで、突起４０ｂがガイド孔１３に当接して前後方向及び左右方向の位置が決定する。このとき、配線器具４０の係止爪４０ａは、係止縁部１４に係止され、配線器具４０は取付枠１０に保持される。
【００２２】
化粧プレート５０は、樹脂材料により枠状に形成されたプレート本体５１と、プレート本体５１の前面側に取着され、樹脂材料からなるフィン５２とをその構成要素として備える。フィン５２は、プレート本体５１の左右の両側辺に取り付けられ、プレート本体５１に装着された配線器具４０と直線上に並べて配置されるので、化粧プレート５０及び、この化粧プレート５０を取着した配線装置の見栄えを良くしている。
【００２３】
プレート本体５１の背面側には、後述するスリーブ２０と係止し、取付枠１０にプレート本体５１を保持させる係止爪５１ａを複数備えている。この係止爪５１ａの個数及び位置は、取付枠１０に装着されたスリーブ２０の個数や位置に応じて設定されており、本実施の形態においては、プレート本体５１の四隅の近傍にそれぞれ１個ずつ配置されている。また、各係止爪５１ａは、プレート本体５１の上下方向に撓むよう設定されている。
【００２４】
取付枠１０は、図２に示すように、中央に開口部１５を有する枠状に形成されており、開口部１５の上下方向の外周が後方側に折り曲げ加工されている。また取付枠１０は、この折り曲げ加工された部位に、厚み方向に貫通する複数のガイド孔１３が所定の間隔を開けて並設されている。ここで、配線器具４０を取付枠１０に取り付ける際には、このガイド孔１３に上述した配線器具４０の突起４０ｂを沿わせた状態で挿入することで、配線器具４０の前後方向及び左右方向の位置が決定される。また、取付枠１０は、この折り曲げ加工され後方側に突出した部位の先端に、配線器具４０の係止爪４０ａが係止される係止縁部１４が形成されている。
【００２５】
また取付枠１０は、ボックス３０に設けられた複数のネジ孔３１に対応する位置に、それぞれ厚み方向に貫通する複数の貫通孔１１を有する。取付枠１０をボックス３０に取り付ける場合には、ボックス３０のネジ孔３１と取付枠１０の貫通孔１１とを対向させた状態で、取付枠１０の前面側からネジ１６によりネジ止めする。
【００２６】
この取付枠１０には、開口部１５の外周部分に、厚み方向に貫通する複数の取付孔１２が設けられており、それぞれスリーブ２０が取着されている。各取付孔１２の形状は、正方形の四隅のうちの１つが斜めに切り欠かれた形状に形成されており、開口部１５よりも上側に設けられた取付孔１２と下側に設けられた取付孔１２とが、左右対称となるように配置されている。すなわち、取付枠１０の上下方向を逆にしてボックス３０に取り付けた場合であっても、取付孔１２の配置や形状が同じとなるように設定されている。
【００２７】
スリーブ２０は、樹脂材料からなり、中央が開口した筒状に形成されている（図３（ａ）〜（ｃ）を参照）。スリーブ２０の背面側には、他の部位よりも左右方向において幅広に形成された幅広部２１が設けられている。またスリーブ２０の幅広部２１以外の部位の断面は、正方形の四隅のうちの１つが斜めに切り欠かれた形状に形成されている。すなわち、スリーブ２０の前方側は、取付枠１０の取付孔１２と同形状に形成されており、この形状によって、スリーブ２０を取付枠１０に挿入する際にスリーブ２０の取付方向を間違えないようにしている。また、スリーブ２０を取付孔１２に挿入した際において、幅広部２１の前面側が取付枠１０の背面側と当接することで、取付枠１０の前後方向におけるスリーブ２０の位置が規制される。
【００２８】
またスリーブ２０は、取付孔１２にスリーブ２０を挿入した際に、取付孔１２に係止される一対の取付爪片２２、２２が設けられている。この取付爪片２２のうち、少なくとも一方の取付爪片２２の周囲には、取付爪片２２の挿入方向に切りかかれたスリット２３が形成されている。これにより、取付爪片２２はスリーブ２０の内側に撓む量が増えるので、スリーブ２０を取付孔１２に挿入し易くなる。
【００２９】
またスリーブ２０は、スリット２３を設けた取付爪片２２とは他方側の取付爪片２２の近傍に、化粧プレート５０の係止爪片５１ａを係止する取付突起２４が形成されている。化粧プレート５０は、各係止爪５１ａをスリーブ２０の開口から挿入することで、係止爪５１ａが取付突起２４に係止され、スリーブ２０及び取付枠１０に保持される。
【００３０】
上述のように、化粧プレート５０の係止爪５１ａと、この係止爪５１ａを係止するスリーブ２０は、双方とも樹脂材料からなるので、係止爪５１ａがスリーブ２０により削られる恐れを低減することができる。また、従来のプレート枠と化粧プレートとを用いた方法に比べて、プレート枠が不要となるので、造営面からの突出量を低減でき、外観を良好に保つことができる。
【００３１】
また、取付爪片２２と取付孔１２が係止することで、スリーブ２０に取付孔１２が取り付けられるので、容易にスリーブ２０を取付孔１２に取り付けることができる。さらに、スリーブ２０に設けた取付爪片２２の周囲にスリット２３が設けられているので、取付爪片２２を取付孔１２に挿入する際における取付爪片２２の撓み量が多くなり、容易にスリーブ２０を取付孔１２に取り付けることができる。
【００３２】
また、取付孔１２の形状及びスリーブ２０の断面の形状は、正方形の四隅のうちの１つが斜めに切り欠かれた形状に形成されており、スリーブ２０を取付孔１２に挿入する際の向きを規制して、スリーブ２０の逆挿しを防止することができる。なお、この逆挿しを防止するための形状は、本実施の形態における形状に限られるものではなく、どのような形状であってもよい。
【００３３】
なお、本実施の形態においては、１個モジュール寸法の配線器具４０を８個まで取り付け可能な取付枠１０を例にして説明を行ったが、例えば図４（ａ）に示すように、１個モジュール寸法の配線器具４０を２個まで取付可能な取付枠１０にも適用できる。また、図４（ａ）に示すような、１個モジュール寸法の配線器具４０を３個まで取付可能な取付枠１０にも適用可能である。さらには、図５（ａ）（ｂ）に示すように、開口部１５を上下方向に複数設け、各開口部１５に配線器具４０を取り付け可能な取付枠１０にも適用可能である。図４（ａ）（ｂ）に示す取付枠１０は、１個モジュール寸法の配線器具４０を１列に８個まで取付可能で、図４（ａ）の取付枠１０は上下に２列、図４（ｂ）の取付枠１０は上下に３列、配線器具４０を取り付けることができる。この場合において、スリーブ２０の取付孔１２と、ねじ止め用の貫通孔１１の位置及び個数は、取付枠１０の大きさ及び形状に合わせて適宜設定すればよい。
【００３４】
また、本実施の形態においては、予め成形したスリーブ２０を取付孔１２に取り付けているが、スリーブ２０をインサート成形により生成するようにしても良い。
【符号の説明】
【００３５】
１０        取付枠（配線器具用取付枠、枠本体）
１２        取付孔
１５        開口部
２０        スリーブ
２２        取付爪片
３０        ボックス
４０        配線器具
５０        化粧プレート
【図１】
0005608029.tif 000002
【図２】
0005608029.tif 000003
【図３】
0005608029.tif 000004
【図４】
0005608029.tif 000005
【図５】
0005608029.tif 000006
【図６】
0005608029.tif 000007